(57)【要約】【課題】ＦＡＸデータから変換された画像データを送受信する際に、ＩＰネットワークの輻輳及び障害による影響を受けないデータ伝送システム、ゲートウェイ、データ通信方法及びプログラムを提供すること。【解決手段】本発明かかるファクシミリ伝送システムは、ファクシミリ装置５０と、ファクシミリ装置５０と公衆交換電話網７０を介して接続されるホームゲートウェイ７０と、ホームゲートウェイ１０と中継装置を介することなく接続されている通信装置３０と、を備えている。ホームゲートウェイ１０は、ファクシミリ装置５０から送信されたファクシミリデータを通信装置３０において表示可能な画像データに変換して画像データを通信装置３０へ送信する。もしくはホームゲートウェイ１０は、画像データをファクシミリデータへ変換してファクシミリ装置５０へ送信するものである。【選択図】図１
2014050026.tif 000002
【特許請求の範囲】
【請求項１】
第１のゲートウェイと、
前記第１のゲートウェイと接続される第1の装置と、
前記第１のゲートウェイと第1の網を介して接続する第２の装置と、を備え、
前記第１のゲートウェイは、
前記第１の装置と接続可能な接続部と、
前記接続部を介して取得する第１の装置で処理可能な表示用データのデータ種別に応じて、前記第２の装置から取得した表示用データのデータ種別の変換を行う第１のデータ種別変換部とを有する、データ伝送システム。
【請求項２】
第１のゲートウェイと、
前記第１のゲートウェイと接続される第1の装置と、
前記第１のゲートウェイと第1の網を介して接続する第2の装置と、を備え、
前記第１のゲートウェイは、
前記第１の装置から前記接続部を介して取得したデータを、前記第２の装置に送出する場合、送信先情報に応じて、変換する第２のデータ種別変換部を有する、
請求項１に記載のデータ伝送システム。
【請求項３】
前記第１のゲートウェイは、前記データ種別の変換を行った変換後のデータを、前記接続部を介して前記第1の装置に出力する、請求項１に記載のデータ伝送システム。
【請求項４】
前記第１の網は、公衆交換電話網であり、前記第２の装置は、ファクシミリ装置である、請求項１乃至３のいずれか１項に記載のデータ伝送システム。
【請求項５】
前記第１の装置は、前記第１のゲートウェイと接続可能な接続部を有する、請求項１乃至４のいずれか１項に記載のデータ伝送システム。
【請求項６】
前記第１のゲートウェイは、
前記ファクシミリ装置から送信されたファクシミリデータを前記第１の装置において処理可能な画像データに変換して前記第１の装置へ送信し、
前記第１の装置から送信された前記画像データを前記ファクシミリデータへ変換して前記ファクシミリ装置へ送信する、請求項４に記載のデータ伝送システム。
【請求項７】
前記第１のゲートウェイは、
前記画像データと前記ファクシミリデータとを変換するデータ変換部を有する、請求項６に記載のファクシミリ伝送システム。
【請求項８】
前記データ変換部は、
ファクシミリパラメータに基づいて前記画像データを前記ファクシミリデータへ変換する、請求項７に記載のデータ伝送システム。
【請求項９】
前記ファクシミリパラメータは、符号化方式、原稿サイズ、変調方式及び通信速度のうち少なくとも１つを含む、請求項８に記載のファクシミリ伝送システム。
【請求項１０】
前記第１のゲートウェイは、
前記ファクシミリデータから変換された前記画像データもしくは前記ファクシミリ装置へ送信する前記画像データを格納する記憶装置と前記接続部を介して接続される、請求項６乃至１０のいずれか１項に記載のデータ伝送システム。
【請求項１１】
前記第１のゲートウェイは、
前記記憶装置が接続されたことを検出する接続検出部と、
前記接続検出部によって検出された前記記憶装置に格納される前記画像データを前記ファクシミリ装置へ送信させる制御部と、をさらに有する請求項１０に記載のファクシミリ伝送システム。
【請求項１２】
前記データ変換部は、
前記記憶装置に前記画像データが格納されると、前記記憶装置に新たに格納された前記画像データを前記ファクシミリデータへ変換し、前記ファクシミリ装置へ自動送信させる、請求項１０に記載のデータ伝送システム。
【請求項１３】
前記第１のゲートウェイは、
前記ファクシミリ装置から前記ファクシミリデータが送信された場合、前記ファクシミリデータから変換された前記画像データを、前記第１のゲートウェイに接続されている前記第１の装置へ出力する、請求項６乃至１２のいずれか１項に記載のデータ伝送システム。
【請求項１４】
前記第１のゲートウェイは、
前記画像データの出力先候補となる複数の前記第１の装置の一覧を表示して、前記画像データの出力先の選択を受け付けるブラウザ画面を生成する画面制御部をさらに備える、請求項１３に記載のデータ伝送システム。
【請求項１５】
前記第１のゲートウェイは、
前記画像データの出力先の選択を促すために、前記ファクシミリ信号を受信したことを前記第１の装置を操作するユーザに対して通知する着信通知部をさらに備える、請求項１３又は１４に記載のデータ伝送システム。
【請求項１６】
前記着信通知部は、
前記ファクシミリ信号を受信した場合に所定の光を点灯させるもしくは所定の着信音を鳴動させる請求項１５に記載のデータ伝送システム。
【請求項１７】
前記第１の装置として印刷装置が用いられ、前記画像データを前記印刷装置を用いて出力する、請求項６乃至１６のいずれか１項に記載のデータ伝送システム。
【請求項１８】
前記第１の装置として紙媒体に印刷されデータを画像データとして読み取る読取装置が用いられ、前記読み取られた画像データを前記ファクシミリデータへ変換して前記ファクシミリ装置へ送信する、請求項６乃至１７のいずれか１項に記載のデータ伝送システム。
【請求項１９】
第１の装置と接続され、第１の網を介して第２の装置と接続されるゲートウェイであって、
前記第１の装置と接続可能な接続部と、
前記接続部を介して取得する前記第１の装置で処理可能な表示用データのデータ種別に応じて、前記第２の装置から取得した表示用データのデータ種別の変換を行う第１のデータ種別変換部と、を有するゲートウェイ。
【請求項２０】
前記第１の装置から前記接続部を介して取得したデータを、前記第２の装置に送出する場合、送信先情報に応じて変換する第２のデータ種別変換部をさらに有する、請求項１９に記載のゲートウェイ。
【請求項２１】
前記第１のデータ種別変換部において前記データ種別の変換を行った変換後のデータを、前記接続部を介して前記第１の装置に出力する、請求項１９に記載のゲートウェイ。
【請求項２２】
前記第１の網は、公衆交換電話網であり、前記第２の装置は、ファクシミリ装置である、請求項１９乃至２１のいずれか１項に記載のゲートウェイ。
【請求項２３】
前記ファクシミリ装置から送信されたファクシミリデータを前記第１の装置において表示可能な画像データに変換して前記画像データを前記第１の装置へ送信し、前記画像データを前記ファクシミリデータへ変換して前記ファクシミリ装置へ送信するデータ通信部を備える請求項２２に記載のゲートウェイ。
【請求項２４】
前記画像データと前記ファクシミリデータとを変換するデータ変換部をさらに備える、請求項２３に記載のゲートウェイ。
【請求項２５】
前記データ変換部は、
ファクシミリパラメータに基づいて前記画像データを前記ファクシミリデータへ変換する、請求項２６に記載のゲートウェイ。
【請求項２６】
前記ファクシミリパラメータは、符号化方式、原稿サイズ、変調方式及び通信速度のうち少なくとも１つを含む、請求項２５に記載のゲートウェイ。
【請求項２７】
前記画像データが記憶された記憶装置が接続されたことを検出する接続検出部と、
前記接続検出部によって検出された前記記憶装置に格納される前記画像データを前記ファクシミリ装置へ送信させる制御部と、をさらに有する請求項２４乃至２６に記載のゲートウェイ。
【請求項２８】
前記データ変換部は、
前記接続部を介して接続されている前記記憶装置に前記画像データが格納されると、前記記憶装置に新たに格納された前記画像データを前記ファクシミリデータへ変換し、前記ファクシミリ装置へ自動送信させる、請求項２７に記載のゲートウェイ。
【請求項２９】
前記ファクシミリ装置から前記ファクシミリデータが送信された場合、前記ファクシミリデータから変換された前記画像データを、前記ゲートウェイに接続されている前記第１の装置へ出力する、請求項２４乃至２８のいずれか１項に記載のゲートウェイ。
【請求項３０】
前記画像データの出力先候補となる複数の前記第１の装置の一覧を表示して、前記画像データの出力先の選択を受け付けるブラウザ画面を生成する画面制御部をさらに備える、請求項２８に記載のゲートウェイ。
【請求項３１】
前記画像データの出力先の選択を促すために、前記ファクシミリ信号を受信したことを前記第１の装置を操作するユーザに対して通知する着信通知部をさらに備える、請求項２９又は３０に記載のムゲートウェイ。
【請求項３２】
接続部を介して第１の装置と接続され、第１の網を介して第２の装置と接続されるゲートウェイにおけるデータ通信方法であって、
前記接続部を介して取得する第１の装置で処理可能な表示用データのデータ種別に応じて、前記第２の装置から取得した表示用データのデータ種別の変換を行う、データ通信方法。
【請求項３３】
接続部を介して第１の装置と接続され、第１の網を介して第２の装置と接続されるゲートウェイにおけるコンピュータに実行させるプログラムであって、
前記接続部を介して取得する第１の装置で処理可能な表示用データのデータ種別に応じて、前記第２の装置から取得した表示用データのデータ種別の変換を行う工程を、コンピュータに実行させるプログラム。
【発明の詳細な説明】
【技術分野】
【０００１】
本発明はデータ伝送システム、ゲートウェイ、データ通信方法及びプログラムに関し、特にＦＡＸ機器を有することなくＦＡＸデータを通信するデータ伝送システム、ゲートウェイ、データ通信方法及びプログラムに関する。
【背景技術】
【０００２】
現状、パーソナルコンピュータ（以下、ＰＣ）、携帯電話及びスマートフォン等の普及並びにインターネットの普及に伴いＦＡＸ通信のニーズが低下している。その一方で、印刷物としてのみ残っている情報を簡易的に伝達する手段としてファクシミリ（以下、ＦＡＸ）通信のニーズはなくならない。このように、ＦＡＸ通信を行うユーザは、ＦＡＸ通信を行う機会は減少しているが、少ない通信機会にも関わらずＦＡＸ通信を行うためにＦＡＸ機器を購入するという負担を強いられることとなる。
【０００３】
このような問題に対して、特許文献１にはＩＰ電話サービスの加入者がファクシミリ受信サービスを受けるためのネットワーク構成が開示されている。具体的には、特許文献１に開示されているネットワークは、ＰＳＴＮ（Public Switched Telephone Networks）及びＩＰネットワークの間にＶｏＩＰゲートウェイが配置されている。また、ＩＰネットワークにはＩＰ電話サービスに加入しているユーザが操作するＰＣ及びデータを格納するサーバ装置が接続されている。ＶｏＩＰゲートウェイは、ＰＳＴＮを介して受信したＦＡＸデータを画像データに変換し、画像データをＩＰネットワークを介してサーバ装置へ送信する。さらにＰＣは、ＩＰネットワークを介してサーバ装置に格納されている画像データをダウンロードする。このようにして、ＩＰ電話サービスの加入者は、ＰＣを用いてＦＡＸデータから変換された画像データを閲覧することができる。
【先行技術文献】
【特許文献】
【０００４】
【特許文献１】特開２００７−１８９６３５号公報
【発明の概要】
【発明が解決しようとする課題】
【０００５】
しかし、特許文献１に開示されているネットワーク構成においては、ＶｏＩＰゲートウェイは、ＩＰネットワークとPSTNネットワークとを接続しており、互いに異なるネットワークに接続された各種機器間を中継するものであり、各ネットワークに接続された各種装置から送出したデータを互いに送受信するものである。そのため、ゲートウェイに接続される各種機器が限られる可能性がある。さらに、大量のＦＡＸデータが送信された場合、ＦＡＸデータから変換された大量の画像データがＩＰネットワーク内において送受信される。そのため、大量のＦＡＸデータが送信された場合、ＩＰネットワークが輻輳するという問題がある。さらに、ＩＰネットワークに障害が発生した場合、サーバ装置に格納されているＦＡＸデータをＰＣにおいて受信することができなくなるという問題もある。
【０００６】
本発明はこのような問題を解決するために、網から取得されるデータを表示するための各種機器の種別によらず、取得データを表示する、或いは各種機器から送出されたデータを各種機器の種別によらず、送出させること、及び、ＦＡＸデータから変換された画像データを送受信する際に、ＩＰネットワークの輻輳及び障害による影響を受けないことの少なくとも一方を提供することができるデータ伝送システム、ゲートウェイ、データ通信方法及びプログラムを提供することを目的とする。
【課題を解決するための手段】
【０００７】
本発明の第１の態様にかかるデータ伝送システムは、第１のゲートウェイと、前記第１のゲートウェイと接続される第1の装置と、前記第１のゲートウェイと第1の網を介して接続する第２の装置と、を備え、前記第１のゲートウェイは、前記第１の装置と接続可能な接続部と、前記接続部を介して取得する第１の装置で処理可能な表示用データのデータ種別に応じて、前記第２の装置から取得した表示用データのデータ種別の変換を行う第１のデータ種別変換部とを有するものである。
【０００８】
本発明の第２の態様にかかるゲートウェイは、第１の装置と接続され、第１の網を介して第２の装置と接続されるゲートウェイであって、前記第１の装置と接続可能な接続部と、前記接続部を介して取得する前記第１の装置で処理可能な表示用データのデータ種別に応じて、前記第２の装置から取得した表示用データのデータ種別の変換を行う第１のデータ種別変換部と、を有するものである。
【０００９】
本発明の第３の態様にかかるデータ通信方法は、接続部を介して第１の装置と接続され、第１の網を介して第２の装置と接続されるゲートウェイにおけるデータ通信方法であって、前記接続部を介して取得する第１の装置で処理可能な表示用データのデータ種別に応じて、前記第２の装置から取得した表示用データのデータ種別の変換を行うものである。
【００１０】
本発明の第４の態様にかかるプログラムは、接続部を介して第１の装置と接続され、第１の網を介して第２の装置と接続されるゲートウェイにおけるコンピュータに実行させるプログラムであって、前記接続部を介して取得する第１の装置で処理可能な表示用データのデータ種別に応じて、前記第２の装置から取得した表示用データのデータ種別の変換を行う工程を、コンピュータに実行させるものである。
【発明の効果】
【００１１】
本発明により、ＦＡＸデータから変換された画像データを送受信する際に、ＩＰネットワークの輻輳及び障害による影響を受けないデータ伝送システム、ゲートウェイ、データ通信方法及びプログラムを提供することができる。
【図面の簡単な説明】
【００１２】
【図１】実施の形態１にかかるファクシミリ伝送システムの構成図である。
【図２】実施の形態１にかかるファクシミリ伝送システムの構成図である。
【図３】実施の形態２にかかるホームゲートウェイの構成図である。
【図４Ａ】実施の形態２にかかる記憶装置に格納されるデータを説明する図である。
【図４Ｂ】実施の形態２にかかる記憶装置に格納されるデータを説明する図である。
【図５】実施の形態２にかかる呼接続処理の流れを示す図である。
【図６】実施の形態２にかかるファクシミリデータの自動送信処理の流れを示す図である。
【図７】実施の形態３にかかるファクシミリデータの受信処理の流れを示す図である。
【図８】実施の形態３にかかるファクシミリデータの受信処理の流れを示す図である。
【図９】実施の形態４にかかるファクシミリデータの自動送信処理の流れを示す図である。
【図１０】実施の形態５にかかるホームゲートウェイの構成図である。
【図１１】実施の形態５にかかるファクシミリデータの受信処理の流れを示す図である。
【図１２】実施の形態５にかかる記憶部に格納されるデータを説明する図である。
【図１３】実施の形態６にかかるファクシミリデータの受信処理の流れを示す図である。
【図１４】実施の形態７にかかるホームゲートウェイの構成図である。
【図１５】実施の形態７にかかるファクシミリデータの送信処理の流れを示す図である。
【発明を実施するための形態】
【００１３】
（実施の形態１）
以下、図面を参照して本発明の実施の形態について説明する。はじめに図１を用いて本発明の実施の形態１にかかるファクシミリ伝送システムの構成例について説明する。ファクシミリ伝送システムは、ホームゲートウェイ（以下、ＨＧＷ）１０、通信装置３０及びファクシミリ（以下、ＦＡＸ）装置５０を有している。ＨＧＷ１０及びＦＡＸ装置５０は、公衆交換電話網７０を介して接続されている。ＨＧＷ１０は、公衆交換電話網７０と直接接続されてもよく、図２に示すようにＩＰネットワーク８０を介して公衆交換電話網７０と接続されてもよい。この場合、公衆交換電話網７０とＩＰネットワーク８０とはメディアゲートウェイ９０を用いて接続される。通信装置３０及びＨＧＷ１０は、中継装置及び複数の中継装置から構成されるＩＰネットワーク等を介することなく接続されている。
【００１４】
ＦＡＸ装置５０は、紙に印刷された印刷物を読み取る。さらに、ＦＡＸ装置５０は、読み取ったＦＡＸデータをアナログデータとして公衆交換電話網７０を介してＨＧＷ１０へ出力する。ここで、ＦＡＸデータは、ＨＧＷ１０へ入力される前にＡＤ（アナログデジタル）変換装置等を用いてデジタルデータへ変換されてもよく、ＡＤ変換機能をＨＧＷ１０に搭載し、ＨＧＷ１０においてデジタルデータへ変換されてもよい。
【００１５】
通信装置３０は、例えばＰＣ、携帯電話端末もしくはスマートフォン等の通信装置である。もしくは、通信装置３０は、通信機能を有する家電製品であってもよい。本図においては、ＨＧＷ１０に一つの通信装置３０が、通信装置３０が備える接続部を介して接続されている構成を示しているが、複数の通信装置が接続されてもよい。通信装置３０は、ＬＡＮ（Local Area Network）ケーブル等の有線を介してＨＧＷ１０と接続されてもよく、無線ＬＡＮもしくは赤外線等の近距離無線通信によりＨＧＷ１０と接続されてもよい。通信装置３０は、ＨＧＷ１０との間においてデジタルデータを用いた通信を行う。
【００１６】
ＨＧＷ１０は、自宅内等に配置され、ＰＣ、携帯電話端末、スマートフォン及び通信機能を有する家電製品等複数の装置を接続することができる。ＨＧＷ１０に接続されている通信装置及び家電製品等は、ＰＣ等を用いてその動作を制御されてもよい。ＨＧＷ１０は、ＦＡＸ装置５０から送信されたＦＡＸデータを受信する。この場合、ＨＧＷ１０は、取得した、接続先通信機器情報に基づいて、接続されている通信機器がデジタルデータ対応の通信機器であると判別した場合、ＦＡＸデータを画像データへ変換する。ＦＡＸデータは、ＦＡＸ装置５０から送信される際にはアナログデータであり、ＡＤ変換装置等によりデジタルデータへ変換される。ＨＧＷ１０は、デジタルデータへ変換されたＦＡＸデータをさらに画像データへ変換する。画像データは、通信装置３０において読み取り可能な形式のデータであってデジタルデータである。
【００１７】
さらに、ＨＧＷ１０は、通信装置３０から送信された画像データを受信し、受信した画像データをＦＡＸデータへ変換する。さらに、ＨＧＷ１０は、ＦＡＸ装置５０に対してＦＡＸデータを送信する。ＨＧＷ１０において画像データから変換されたＦＡＸデータは、ＨＧＷ１０内もしくはＨＧＷ１０の外部に配置されたＤＡ変換装置等を用いてアナログデータへ変換される。アナログデータへ変換されたＦＡＸデータは、公衆交換電話網７０を介してＦＡＸ装置５０へ送信される。この際、ＨＧＷ１０は、データの変換有無を、通信装置３０から送信された画像データの送信先情報を確認し、この送信先情報がFAX送信先としてアナログデータを受信するために用いられるFAX番号を示す場合、または、通信先の網の種別の判別の結果、公衆交換電話網に接続されている場合、アナログデータに変換する変換処理を行う。
【００１８】
以上説明したように図１もしくは図２にかかるファクシミリ伝送システムにおいては、
HGW３０は、接続されている通信機器情報に基づいて、送信先から取得したデータに対し、データ種別変換有無を判別してから、データ変換を行う。このように、都度、データ変換有無を判別してからデータ種別の変換を行うため、接続される通信機器を変更しても、接続先の通信機器にて適切なデータ種別として、送信データを取得し出力可能となる。
【００１９】
また、ＨＧＷ１０及び通信装置３０は、接続部を介して接続されており、いわば中継装置等を介在しない接続である。そのため、ＨＧＷ１０及び通信装置３０の間に中継装置等が配置された場合に中継装置の輻輳もしくは障害等によりファクシミリ伝送が行われなくなるという問題を解消することができる。さらに、ＨＧＷ１０に画像データ及びＦＡＸデータの間の変換機能を搭載することにより、既存の通信装置をＨＧＷに接続することによって、ＦＡＸ装置を用いなくても通信装置とＦＡＸ装置５０との間の通信が可能となる。  
【００２０】
また、上記において説明したＨＧＷを宅内において用いるＨＧＷとした場合、ＨＧＷは、各種機器を随時切断したり、接続したりすることができる。そのため、接続先の機器を柔軟に選択することができる。これに対して、引用文献１に開示されているネットワークは、接続される機器が固定的であり、実施の形態１において説明したＨＧＷのように、接続先の機器を柔軟に選択することができない。本発明の実施の形態１においては、上述した効果の少なくとも１つを得ることができる。
【００２１】
（実施の形態２）
続いて、図３を用いて本発明の実施の形態２にかかるＨＧＷ１０の構成例について説明する。実施の形態２では、主にＨＧＷ１０からＦＡＸデータを通信相手となるＦＡＸ装置５０へ送信する場合について説明する。ＨＧＷ１０は、データ通信部１１、データ変換部１２、外部装置Ｉ／Ｆ部１３、接続判定部１４、呼処理部１５、制御部１６及び画面制御部１７を有している。ＨＧＷ１０は、通信装置としてスマートフォン３１及びパーソナルコンピュータ（ＰＣ）３２と接続されている。さらに、ＨＧＷ１０は、記憶装置４０とも接続されている。
【００２２】
呼処理部１５は、制御部１６からＦＡＸデータの送信指示が入力された場合に通信先のＦＡＸ装置５０との間において呼接続処理を行う。呼接続処理は、例えばＳＩＰ（Session Initiation Protocol）を用いて行われる。また、呼接続処理は、ＳＩＰを用いた場合に制限されず、その他のプロトコルを用いて行われてもよい。
【００２３】
データ変換部１２は、外部装置Ｉ／Ｆ部１３から出力される画像データをＦＡＸ通信において用いられるＦＡＸデータ形式に変換する。データ変換部１２は、外部装置Ｉ／Ｆ部１３から画像データと共にＦＡＸパラメータも受け取る。ＦＡＸパラメータは、例えば画質情報、機器情報、符号化方式、原稿サイズ、変調方式及び通信速度等のうち少なくとも一つを含む。データ変換部１２は、ＦＡＸパラメータに基づいて画像データを所定の形式のＦＡＸデータへ変換する。データ変換部１２は、ＦＡＸデータをデータ通信部１１へ出力する。
【００２４】
データ通信部１１は、データ変換部１２から受け取ったＦＡＸデータを用いてＲＴＰパケットを生成する。ＲＴＰパケットは、ＶｏＩＰ通信を行う際に用いられるデータ形式である。データ通信部１１は、生成したＲＴＰパケットを、通信先のＦＡＸ装置５０へ送信する。
【００２５】
外部装置Ｉ／Ｆ部１３は、ＰＣ３２と接続されている。さらに、外部装置Ｉ／Ｆ部１３は、接続判定部１４を介して記憶装置４０と接続されている。以下に、ＨＧＷ１０を用いてＦＡＸデータを手動送信する場合及び自動送信する場合におけるそれぞれの構成要素の機能について説明する。
【００２６】
ＦＡＸデータを手動送信する場合、例えばスマートフォン３１を用いて送信手順を実行する。例えば、画面制御部１７は、スマートフォン３１に対してＷｅｂブラウザを介してＦＡＸデータの送信指示を受け付ける画面を表示させる。スマートフォン３１のユーザは、画面制御部１７において生成されるＷｅｂブラウザの画面をスマートフォン３１を介して閲覧する。スマートフォン３１のユーザは、スマートフォン３１に表示された画面を用いて、ＦＡＸデータの送信指示を入力する。スマートフォン３１のユーザは、Ｗｅｂブラウザの画面において送信先のＦＡＸ番号を入力し、さらに送信する画像データを選択する。
【００２７】
制御部１６は、スマートフォン３１から入力された情報を取得する。制御部１６は、呼処理部１５へＦＡＸデータの送信先となるＦＡＸ番号等を含むＦＡＸデータの送信指示を出力する。さらに、制御部１６は、送信すべき画像データの格納場所、ユーザから入力された原稿の枚数等のＦＡＸパラメータに関する情報を外部装置Ｉ／Ｆ部１３へ出力する。画像データの格納場所は、例えば記憶装置４０、ＰＣ３２もしくはＨＧＷ１０の内部に搭載されている記憶部であるメモリ（不図示）等であってもよい。
【００２８】
外部装置Ｉ／Ｆ部１３は、送信すべき画像データがＰＣ３２内に格納されているという情報を制御部１６から受け取った場合、ＰＣ３２から画像データを取得する。外部装置Ｉ／Ｆ部１３は、画像データを取得するとＦＡＸパラメータ及び画像データをデータ変換部１２へ出力する。
【００２９】
このようにして、ＨＧＷ１０に接続されているＰＣ３２等に格納されている画像データをＦＡＸデータとして送信するために、画面制御部１７において生成するＷｅｂブラウザの画面を介してＦＡＸデータの送信指示を受け付けることができる。
【００３０】
次に、ＦＡＸデータを自動送信する場合について説明する。例えば記憶装置４０に記憶されている画像データを自動送信する場合について説明する。記憶装置４０は、例えばＵＳＢメモリ、カード型の記憶媒体等、ＨＧＷ１０に接続可能な記憶装置である。
【００３１】
接続判定部１４は、記憶装置４０がＨＧＷ１０に接続された場合、記憶装置４０が接続されたことを検出して検出結果を外部装置Ｉ／Ｆ部１３へ出力する。外部装置Ｉ／Ｆ部１３は、接続判定部１４から記憶装置４０が接続されたことを通知された場合記憶装置４０に記憶されている画像データを取得する。ここで、記憶装置４０に記憶されている画像データを自動送信するために、例えば画像データのファイル名に送信先装置等の識別子等が含められてもよい。例えば、画像データのファイル名は、送信先のＦＡＸ番号＋データ拡張子等の形式であってもよい。このように画像データのファイル名に送信先のＦＡＸ番号等が含められることによって、画像データを取得した外部装置Ｉ／Ｆ部１３は、ユーザからＦＡＸ番号を入力されることなくデータの送信先に関する情報を取得することができる。外部装置Ｉ／Ｆ部１３は、データの送信先に関する情報を制御部１６へ出力する。
【００３２】
その後の処理は手動送信時において説明した処理と同様に、制御部１６は、呼処理部１５に対してＦＡＸデータの送信指示を出力する。さらに外部装置Ｉ／Ｆ部１３は、画像データをデータ変換部１２へ出力する。
【００３３】
ここで、図４Ａを用いて記憶装置４０に記憶されているデータについて説明する。記憶装置４０には、例えば０ＡＢＣＤＥＦＧＨＩ．ｘｘｘもしくは０ＪＫＬＭＮＯＰＱＲ．ｘｘｘ等の画像データが記憶されている。０ＡＢＣＤＥＦＧＨＩ及び０ＪＫＬＭＮＯＰＱＲは、例えば送信先のＦＡＸ番号を示し、ｘｘｘは、画像データに用いられる拡張子を示している。図４Ａに示すように複数の画像データが記憶装置４０に記憶されている場合、自動的に複数の送信先に対して画像データが送信されてもよい。
【００３４】
また、同一の宛先に対して送信する複数の画像データが存在する場合、図４Ｂに示すように同一の宛先のデータを記憶するデータ記憶領域に複数の画像データを記憶してもよい。図４Ｂには、データ記憶領域４１及び４２等複数のデータ記憶領域が存在することを示している。例えば、データ記憶領域はフォルダであり、フォルダ名に送信先のＦＡＸ番号を設定し、そのフォルダ内に複数の画像データを格納してもよい。このようにすることにより、フォルダ名から送信先が特定され、自動的に同一の送信先に対してフォルダ内に格納される複数の画像データが送信される。
【００３５】
このようにして、ＨＧＷ１０に接続された記憶装置４０を検出する接続判定部１４及び記憶装置４０に記憶されているデータから特定される送信先情報を用いることにより、ユーザから入力されるＦＡＸデータの送信指示を用いることなくＦＡＸデータを自動送信することができる。
【００３６】
続いて、図５を用いて本発明の実施の形態２における呼接続処理の流れについて説明する。なお、図５において説明する呼接続処理は、ＦＡＸデータの手動送信及び自動送信のいずれにも共通して用いられる処理である。
【００３７】
はじめに、制御部１６は、スマートフォン３１等もしくは外部装置Ｉ／Ｆ部１３からＦＡＸデータの送信先情報を受け取ると呼処理部１５に対してＦＡＸデータの送信指示（発信要求）を出力する（Ｓ１１）。
【００３８】
次に、呼処理部１５は、ＦＡＸデータの送信先装置との間において呼接続処理を実行する（Ｓ１２）。呼接続処理は、例えばＳＩＰを用いて行われる。呼接続処理は、送信先装置との間の通信回線を設定するために行われ、通信回線を設定する際にＨＧＷ１０及び送信先装置との間の通信における通信速度、変調方式等が定められてもよい。
【００３９】
次に、呼処理部１５は、送信先装置との間の呼接続処理が完了すると制御部１６に対して完了通知を出力する（Ｓ１３）。ここで、呼処理部１５は、呼接続処理が完了するとデータ通信部１１に対して、ＦＡＸデータの送信指示を出力する。これ以降、データ通信部１１から送信先装置に対してＦＡＸデータを送信することができる。
【００４０】
続いて、図６を用いて本発明の実施の形態２にかかるＦＡＸデータの自動送信処理の流れについて説明する。はじめに、接続判定部１４は、ＨＧＷ１０に接続された記憶装置４０を検出する（Ｓ２１）。次に、外部装置Ｉ／Ｆ部１３は、接続された記憶装置４０に画像データが格納されているか否かを判定する（Ｓ２２）。ここで、接続された記憶装置４０に画像データが格納されていないと判定された場合、処理を終了する。
【００４１】
外部装置Ｉ／Ｆ部１３は、記憶装置４０に画像データが格納されていると判定した場合、記憶装置４０に格納されている画像データを取得する（Ｓ２３）。次に、データ変換部１２は、画像データの送信先情報に基づいて、送信先がアナログデータを受信するFAX装置であると判定した場合に、外部装置Ｉ／Ｆ部１３において取得された画像データをＦＡＸデータへ変換する（Ｓ２４）。変換に用いられるＦＡＸパラメータは、予め定められたパラメータを用いてもよく、画像データのファイル名等から判定することができるパラメータを用いてもよい。
【００４２】
次に、データ通信部１１は、データ変換部１２において変換されたＦＡＸデータを用いてＲＴＰパケットを生成し（Ｓ２５）、ＲＴＰパケットの宛先を指定して送信する（Ｓ２６）。ＲＴＰパケットの宛先となる情報は、呼処理部１５から通知されてもよい。呼処理部１５は、制御部１６から宛先となる情報を通知された場合に送信先装置と呼接続処理を実行する。その際に、呼処理部１５は、データ通信部１１に対してＦＡＸデータの送信を実行することを通知する。呼処理部１５は、ＦＡＸデータの送信指示とともに宛先情報をデータ通信部１１へ通知してもよい。
【００４３】
以上説明したように、本発明の実施の形態２にかかるファクシミリ伝送システムを用いることにより、ＦＡＸ通信専用のＦＡＸ機器（ＦＡＸ専用機）を用いることなく、ＦＡＸデータをＦＡＸ機器へ送信することができる。具体的には、データ変換部１２を用いることにより、スマートフォン３１もしくはＰＣ３２等において表示可能な画像データをＦＡＸデータへ変換することができる。このようなデータ変換部１２をＨＧＷ１０に設けることにより、ＨＧＷ１０に接続されているスマートフォン３１及びＰＣ３２等それぞれにデータ変換部１２を設ける必要はなく、ＨＧＷ１０を用いることによってＦＡＸデータの生成が可能となる。そのため、既存の通信装置に機能追加を行う必要はなく、ＨＧＷ１０に既存の通信機能を接続することによりＦＡＸ通信を実行することができる。
【００４４】
さらに、ＦＡＸデータを手動送信する際に、上記の実施の形態においてはスマートフォン３１を用いた例について説明したが、ＨＧＷ１０に接続されている通信装置であればどの通信装置からでもＦＡＸデータの送信手順を実行することができる。つまり、画面制御部１７を用いて提供されるＷｅｂブラウザ画面を表示することができる液晶等を用いた表示部を有し、さらにＦＡＸデータ送信指示を受け付けることができるタッチパネル等の操作部を有する通信装置であれば、ＦＡＸデータの手動送信を実行することができる。
【００４５】
（実施の形態３）
続いて本発明の実施の形態３では、ＨＧＷ１０においてＦＡＸ装置５０から送信されたＦＡＸデータを受信する場合について説明する。ＨＧＷ１０の構成は図３と同様であるため図３を用いてＦＡＸデータを受信する場合の機能及び動作等について説明する。
【００４６】
呼処理部１５は、通信先装置から呼接続要求が通知されると、呼接続処理を実行する。呼接続処理は、例えばＳＩＰを用いて行われる。また、呼接続処理は、ＳＩＰを用いた場合に制限されず、その他のプロトコルを用いて行われてもよい。
【００４７】
データ通信部１１は、ＲＴＰパケットを受信するとＲＴＰパケットからＦＡＸデータを抽出する。データ通信部１１は、抽出したＦＡＸデータをデータ変換部１２へ出力する。
【００４８】
データ変換部１２は、データ通信部１１から出力されたＦＡＸデータをスマートフォン３１もしくはＰＣ３２等において閲覧可能な画像データへ変換する。データ変換部１２は、変換した画像データを外部装置Ｉ／Ｆ部１３へ出力する。外部装置Ｉ／Ｆ部１３は、接続判定部１４により、記憶装置４０の接続が検出されている場合、データ変換部１２から出力された画像データを記憶装置４０へ出力し、記憶装置４０へ格納する。外部装置Ｉ／Ｆ部１３は、画像データを記憶装置４０へ格納すると、画像データを格納した旨を制御部１６へ通知する。
【００４９】
画面制御部１７は、制御部１６を介して画像データが記憶装置４０に格納されたことを通知された場合に、画像データの受信先もしくは閲覧先装置の選択を促す受信先選択画面を生成する。画面制御部１７は、受信先選択画面をＷｅｂブラウザを介してＨＧＷ１０に接続されている装置等へ表示させる。受信先選択画面には、例えばＨＧＷ１０に接続されている装置の一覧が表示されてもよい。さらに受信先選択画面には、ＨＧＷ１０に接続されている装置の中で電源がＯＮ状態とされている装置のみが表示されてもよい。
【００５０】
例えば、スマートフォン３１はＷｅｂブラウザを介して表示された受信先選択画面において、ＰＣ３２を画像データの受信先として選択してもよい。この場合、外部装置Ｉ／Ｆ部１３は、記憶装置４０に格納されている画像データをＰＣ３２へ出力する。例えば、外部装置Ｉ／Ｆ部１３は、ＰＣ３２とＨＴＴＰ（Hyper Text Transfer Protocol）通信を用いて画像データをＰＣ３２へ出力してもよい。スマートフォン３１は、ＰＣ３２以外にも、画像データを表示することができる液晶画面等の表示部を備えている通信装置もしくは家電機器等であればどの装置もしくは機器を選択してもよい。もちろんスマートフォン３１は自装置を受信先として選択してもよい。
【００５１】
以上説明したように、ＨＧＷ１０にＦＡＸデータから画像データへ変換させるデータ変換部１２を搭載することによりＨＧＷ１０に接続されている通信装置もしくは家電機器等の中から選択した装置等において、ＦＡＸデータから変換された画像データを閲覧することができる。
【００５２】
続いて、図７を用いて本発明の実施の形態３にかかるＦＡＸデータの受信処理の流れについて説明する。はじめに、データ通信部１１は、ＲＴＰパケットを受信する（Ｓ３１）。次に、データ通信部１１は、ＲＴＰパケットからＦＡＸデータを抽出しデータ変換部１２へ出力する（Ｓ３２）。次に、データ変換部１２は、ＦＡＸデータを画像データへ変換し外部装置Ｉ／Ｆ部１３へ出力する（Ｓ３３）。外部装置Ｉ／Ｆ部１３は、画像データを受け取ると記憶装置４０へ画像データを格納する（Ｓ３４）。次に、画面制御部１７は、記憶装置４０に画像データが格納されたことを、制御部１６を介して通知されるとＷｅｂブラウザに表示する受信先選択画面を生成する（Ｓ３５）。
【００５３】
次に、制御部１６は、記憶装置４０に画像データが格納されるとＨＧＷ１０を所有するユーザ等に対してＦＡＸデータの着信を知らせるために、例えばＨＧＷ１０に設けられているＬＥＤランプを点滅させたり、着信音を鳴動させたりしてもよい（Ｓ３６）。もしくは、制御部１６は、ＨＧＷ１０にアナログ電話機が接続されている場合に、アナログ電話機を鳴動させることによりＦＡＸデータの着信を知らせてもよい。
【００５４】
ユーザがＬＥＤランプの点滅等によりＦＡＸデータの着信を検知した場合、ユーザは、スマートフォン３１等を用いてＨＧＷ１０にアクセスし、受信先選択画面を確認する。ここで、制御部１６は、ユーザから受信先選択指示があったか否かを判定する（Ｓ３７）。制御部１６は、受信先選択指示があったと判定した場合、外部装置Ｉ／Ｆ部１３に対して選択された受信先装置へ画像データを出力させるように制御する（Ｓ３８）。
【００５５】
ここで、ステップＳ３７において制御部１６が、受信先選択指示がないと判定した場合の処理の流れについて図８を用いて説明する。ステップＳ３７において、受信先選択指示がないと判定された場合、制御部１６は、予めデフォルトの受信先装置が定められているか否かを判定する（Ｓ４１）。例えば、デフォルトの受信先装置に関する情報がＨＧＷ１０内のメモリ等に予め記憶されていてもよい。ここで、受信先装置が予め定められている場合、制御部１６は、外部装置Ｉ／Ｆ部１３に対して予め定められた受信先装置へ画像データを出力させるように制御する（Ｓ４２）。
【００５６】
ステップＳ４１において予めデフォルトの受信先装置が定められていない場合、処理を終了する。このような場合、受信先選択指示が通知されるまで画像データを記憶装置４０に格納しておき、受信先選択指示が通知されると選択された受信先に対して画像データを出力させる。
【００５７】
ここで、上記の説明においては、外部装置Ｉ／Ｆ部１３は、受信先として選択された装置へ画像データを出力するようにしているが、受信先装置が外部装置Ｉ／Ｆ部１３を介して記憶装置４０にアクセスし、画像データをダウンロードしてもよい。
【００５８】
以上説明したように本発明の実施の形態３にかかるファクシミリ伝送システムを用いることにより、ＦＡＸ通信専用のＦＡＸ機器を用いることなく、ＦＡＸデータを受信することができる。具体的には、データ変換部１２を用いることにより、ＦＡＸデータをスマートフォン３１もしくはＰＣ３２等において表示可能な画像データへ変換することができる。さらに外部装置Ｉ／Ｆ部１３を用いてＨＧＷ１０に接続されている装置へ画像データを出力することにより、ＨＧＷ１０に接続されている装置においてＦＡＸデータから変換された画像データを閲覧することができる。
【００５９】
さらに、データ変換部１２もしくはデータ変換部１２に相当する機能をそれぞれの通信装置ではなくＨＧＷ１０に搭載することにより、複数の通信装置においてＦＡＸデータから変換された画像データを閲覧することが可能となる。つまり、ＦＡＸデータを受信するためにＦＡＸ機器を導入する場合には、ＦＡＸ機器のみしかＦＡＸデータを受信することはできないが、ＨＧＷ１０にデータ変換部１２を搭載することにより、ＨＧＷ１０にアクセスすることができる複数の通信装置において画像データを閲覧することが可能となる。そのため、自宅内の複数の場所において画像データを閲覧することができるため、生活の利便性も向上する。
【００６０】
（実施の形態４）
続いて、図９を用いて本発明の実施の形態４にかかるＦＡＸデータ送信処理の流れについて説明する。実施の形態４においては、実施の形態２とは異なるＦＡＸデータの自動送信処理の流れについて説明する。
【００６１】
はじめに、外部装置Ｉ／Ｆ部１３は、接続されている記憶装置４０内に新たな画像データが格納されたか否かを判定する（Ｓ５１）。例えば、ＰＣ３２を操作するユーザが、ＰＣ３２内に格納していた画像データをＦＡＸデータとして送信するために、記憶装置４０に格納することがある。このような場合に、外部装置Ｉ／Ｆ部１３は、記憶装置４０内に新たな画像データが格納されたと判定する。外部装置Ｉ／Ｆ部１３は、記憶装置４０内に新たな画像データが格納されたと判定した場合、新たに格納された画像データを取得する（Ｓ５２）。また、外部装置Ｉ／Ｆ部１３は、記憶装置４０内に新たな画像データが格納されていないと判定した場合、ステップＳ５１の処理を繰り返す
【００６２】
ステップＳ５３〜Ｓ５５は、図６のステップＳ２４〜Ｓ２６と同様であるため詳細な説明を省略する。以上説明したように、ユーザは、スマートフォン３１等に格納している画像データをＦＡＸデータとして送信する場合に、記憶装置４０に画像データを格納するのみで画像データを自動送信することができる。送信先情報に関しては、実施の形態２の図４Ａ及び図４Ｂと同様に画像データのファイル名等から特定することができる。これにより、画像データをＦＡＸデータとして送信する際の送信手順を簡略化することができる。
【００６３】
（実施の形態５）
続いて、図１０及び図１１において、外部印刷装置３３を用いてＦＡＸデータを受信する場合について説明する。図１０を用いてＨＧＷ１０の構成例を説明するとともにＨＧＷ１０及び外部印刷装置３３の接続例を説明する。
【００６４】
ＨＧＷ１０は、図３において説明したＨＧＷ１０の構成要素に記憶部１８を追加した構成である。ここでは、外部印刷装置３３を用いてＦＡＸデータを受信するため用いられる機能及び図３において説明した機能と異なる機能について説明する。
【００６５】
データ通信部１１は、ＩＰネットワークを介してメールデータを受信する。ＦＡＸ機器から送信されたＦＡＸデータは、例えば画像データとしてメールデータに添付されていてもよい。この場合、データ変換部１２におけるＦＡＸデータから画像データへの変換は不要となる。なお、ＦＡＸデータを画像データとしてメールデータに添付する処理は、ＦＡＸ機器及びＨＧＷ１０の間のＦＡＸ通信を中継するＡＳＰ（Application Service Provider）等によって行われてもよい。
【００６６】
制御部１６は、メールデータに添付されたＦＡＸデータを抽出し、抽出したＦＡＸデータを外部装置Ｉ／Ｆ部１３を介して、記憶部１８へ格納する。
【００６７】
外部印刷装置３３は、外部装置Ｉ／Ｆ部１３と接続されている。外部印刷装置３３は、例えば画像データを紙媒体に出力することができるプリンタ装置である。外部印刷装置３３は、外部装置Ｉ／Ｆ１３、制御部１６を介して記憶部１８に格納されている画像データ受け取り、これを印刷する。
【００６８】
続いて、図１１を用いてＦＡＸデータ受信処理の流れについて説明する。はじめに、データ通信部１１は、ＩＰネットワークを介してメールデータを受信する（Ｓ６１）。次に、制御部１６は、データ通信部１１において受信されたメールデータに画像データが添付されているか否かを判定する（Ｓ６２）。制御部１６は、画像データが添付されていると判定した場合、添付されている画像データを抽出する（Ｓ６３）。ここで、制御部１６は、画像データが添付されていないと判定した場合、ステップＳ６１の処理を繰り返す。
【００６９】
次に、制御部１６は、抽出した画像データを記憶部１８へ格納する（Ｓ６４）。例えば、図１２に示されるように記憶部１８には、画像データのファイル名及び受信日時が対応付けて管理されている。次に図１１に戻り、外部装置Ｉ／Ｆ部１３は、外部印刷装置３３に電源が投入されているかを判定する（Ｓ６５）。ここで、外部装置Ｉ／Ｆ部１３は、外部印刷装置３３に電源が投入されていないと判定した場合、外部印刷装置３３の電源を投入する（Ｓ６６）。外部装置Ｉ／Ｆ部１３は、例えば外部印刷装置３３がＵＳＢインタフェースを介して接続されている場合、ＵＳＢインタフェースを介して電源を投入してもよい。
【００７０】
ステップＳ６５において外部印刷装置３３に電源が投入されていると判定した場合及びステップＳ６６において外部印刷装置３３に電源が投入された場合、外部装置Ｉ／Ｆ部１３もしくは制御部１６は外部印刷装置３３に対して印刷処理を実行する（Ｓ６７）。
【００７１】
以上説明したように、ＦＡＸデータの受信機能を有さない外部印刷装置３３であっても、ＦＡＸデータの受信機能を有するＨＧＷ１０と接続することによって、ＦＡＸ専用機と同様にＦＡＸデータを受信することができる。このため、ＦＡＸ専用機を有さない場合においても、新たにＦＡＸ専用機を購入することなくＦＡＸデータを受信することができる。
【００７２】
（実施の形態６）
続いて、図１３を用いて本発明の実施の形態６にかかる、ＦＴＰ通信（ＦＴＰ：Ｆｉｌｅ  Ｔｒａｎｓｆｅｒ  Ｐｒｏｔｏｃｏｌ）を用いてＦＡＸデータを受信する場合の処理の流れについて説明する。図１３は、図１０のデータ通信部１１がＩＰネットワーク上に配置されているＦＴＰサーバ（図示せず）と通信を行う場合におけるＦＡＸデータ受信処理の流れを示している。実施の形態６においては、ＦＡＸ機器から送信されたＦＡＸデータは、一旦ＦＴＰサーバに格納されると仮定する。ＦＡＸデータは、ＦＴＰサーバに画像データとして格納されてもよい。
【００７３】
はじめに、データ通信部１１は、ＦＴＰサーバと接続処理を行う（Ｓ７１）。次に、データ通信部１１は、ＦＴＰサーバにＦＡＸデータもしくは画像データが格納されているか否かを判定する（Ｓ７２）。データ通信部１１は、ＦＴＰサーバに画像データ等が格納されていないと判定した場合、ステップＳ７２の処理を繰り返す。
【００７４】
データ通信部１１は、ＦＴＰサーバに画像データが格納されていると判定した場合、格納されている画像データを抽出する（Ｓ７３）。ステップＳ７４〜Ｓ７７の処理は、図１２のステップＳ６４〜Ｓ６７と同様であるため詳細な説明を省略する。
【００７５】
以上説明したように、実施の形態５のようにメールデータを受信する代わりに、ＦＴＰ通信を用いた場合においてもＦＡＸ機器を用いることなく外部印刷装置においてＦＡＸデータを受信することができる。
【００７６】
（実施の形態７）
続いて、図１４及び図１５において、外部読取装置３４を用いてＦＡＸデータを送信する場合について説明する。図１４は、ＨＧＷ１０と外部読取装置３４との接続例を示している。図１４は、図１０における外部印刷装置３３が外部読取装置３４に変更された構成となっている。その他の構成は、図１０と同様であるため詳細な説明を省略する。なお、図１４においては、図１０における外部印刷装置３３を外部読取装置３４に変更しているが、外部印刷装置３３及び外部読取装置３４がともに外部装置Ｉ／Ｆ部１３に接続されてもよい。
【００７７】
外部読取装置３４は、外部装置Ｉ／Ｆ部１３と接続されている。外部読取装置３４は、例えば用紙を読み取り画像データを生成するスキャナ装置である。外部読取装置３４によって生成された画像データは、１３、１６を介して記憶部１８に、もしくは１４が接続を検出している場合、１３を介して記憶装置４０に格納される。
【００７８】
続いて、図１５を用いて、外部読取装置において読み取った画像データを送信する場合の処理の流れを説明する。
【００７９】
はじめに、外部装置Ｉ／Ｆ部１３は、外部読取装置３４に電源が投入されているか否かを判定する（Ｓ８１）。ここで、外部装置Ｉ／Ｆ部１３は、外部読取装置３４に電源が投入されていないと判定した場合、外部読取装置３４の電源を投入する（Ｓ８２）。外部装置Ｉ／Ｆ部１３は、例えば外部読取装置３４がＵＳＢインタフェースを介して接続されている場合、ＵＳＢインタフェースを介して電源を投入してもよい。
【００８０】
次に、外部読取装置３４は、電源を投入されている場合、セットされた用紙を読み取り画像データを生成する（Ｓ８３）。画像データは、１ページ毎に異なる画像ファイルとして生成されてもよく、全頁で１つの画像ファイルとして生成されてもよい。次に、制御部１６は、画像データをＦＡＸデータとして送信する場合に、宛先情報の入力を受け付ける（Ｓ８４）。宛先番号は、例えばＦＡＸ番号である。また、宛先情報の入力には、例えばスマートフォン３１を用いてもよい。例えば、スマートフォン３１を用いる場合、Ｗｅｂブラウザを介して宛先情報を入力する。宛先情報の入力手段は、スマートフォン３１に制限されず、ＨＧＷ１０に接続されているＰＣを用いてもよい。もしくは、ＨＧＷ１０にタッチパネル機能を有する液晶ディスプレイ等が搭載されている場合、その液晶ディスプレイを介して宛先情報が入力されてもよい。
【００８１】
次に、データ通信部１１は、宛先情報を電子メールの本文に埋め込み、画像データを添付したメールデータを生成する（Ｓ８５）。次に、データ通信部１１は、メールデータ
をインターネットＦＡＸを取り扱う事業者のサーバ宛てに送信する（Ｓ８６）。インターネットＦＡＸを取り扱う事業者においてメールデータに添付されている画像データがＦＡＸデータへ変換され、メールデータの本文に埋め込まれている宛先情報に従って、ＦＡＸデータが送信される。
【００８２】
また、図９において説明したように、ＨＧＷ１０において画像データからＦＡＸデータへ変換し、ＨＧＷ１０が、変換したＦＡＸデータに宛先情報を設定して送信してもよい。
【００８３】
以上説明したように、ＦＡＸデータの送信機能を有さない外部読取装置３４であっても、外部読取装置３４において読み取られた画像データをメールデータに添付してインターネットＦＡＸを取り扱う事業者に送信もしくはＨＧＷ１０において画像データをＦＡＸデータへ変換することによりＦＡＸデータを送信することができる。
【００８４】
なお、本発明は上記実施の形態に限られたものではなく、趣旨を逸脱しない範囲で適宜変更することが可能である。
【００８５】
上述の実施の形態では、ハードウェアの構成として説明したが、これに限定されるものではなく、ホームゲートウェイにおける処理を、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００８６】
１０  ＨＧＷ
１１  データ通信部
１２  データ変換部
１３  外部装置Ｉ／Ｆ部
１４  接続判定部
１５  呼処理部
１６  制御部
１７  画面制御部
１８  記憶部
３０  通信装置
３１  スマートフォン
３２  ＰＣ
３３  外部印刷装置
３４  外部読取装置
４０  記憶装置
５０  ＦＡＸ装置
７０  公衆交換電話網
８０  ＩＰネットワーク
９０  メディアゲートウェイ
【図１】
2014050026.tif 000003
【図２】
2014050026.tif 000004
【図３】
2014050026.tif 000005
【図４Ａ】
2014050026.tif 000006
【図４Ｂ】
2014050026.tif 000007
【図５】
2014050026.tif 000008
【図６】
2014050026.tif 000009
【図７】
2014050026.tif 000010
【図８】
2014050026.tif 000011
【図９】
2014050026.tif 000012
【図１０】
2014050026.tif 000013
【図１１】
2014050026.tif 000014
【図１２】
2014050026.tif 000015
【図１３】
2014050026.tif 000016
【図１４】
2014050026.tif 000017
【図１５】
2014050026.tif 000018